【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
滑らかな周縁形状を有し、実質的に鋭い角のない電子レンジ対応プラスチック素材又は電子レンジ対応紙素材から形成されるトレイを含む電子レンジ加熱支持体であって、そのトレイは、少なくとも
少なくとも一の側壁および上向きに凸起した底面によって規定される第１の一体化区画、および
少なくとも一の側壁およびほぼ平面状の底面によって規定される第２の一体化区画、
を含み、
第１の一体化区画は、第２の一体化区画から、区画の形状及び間隔が充分熱的に隔離し、各々の区画内で均一な加熱に寄与する距離だけ離れた電子レンジ加熱支持体。
【請求項２】
滑らかな周縁形状が、丸、長円形、楕円形からなる群から選択される、請求項１記載の電子レンジ加熱支持体。
【請求項３】
第１の一体化区画および第２の一体化区画の少なくとも一方が、マイクロ波エネルギー制限構造をさらに含む、請求項１記載の電子レンジ加熱支持体。
【請求項４】
マイクロ波エネルギー制限構造が、ホイル、マイクロ波吸収素材、マイクロ波透過素材、マイクロ波反射素材、およびその組合せからなる群から選択される素材を含む、請求項３記載の電子レンジ加熱支持体。
【請求項５】
マイクロ波エネルギー制限構造が少なくとも一の開口を含む、請求項３記載の電子レンジ加熱支持体。
【請求項６】
第１の一体化区画が第１の量の食品を含み、第２の一体化区画が第２の量の食品を含む、請求項１記載の電子レンジ加熱支持体。
【請求項７】
第１の量の食品および第２の量の食品が異なる密度および／または加熱特性を有する、請求項６記載の電子レンジ加熱支持体。
【請求項８】
第１の量の食品および第２の量の食品の一方がペレット状である、請求項６記載の電子レンジ加熱支持体。
【請求項９】
ペレットが個別急速冷凍食材である、請求項８記載の電子レンジ加熱支持体。
【請求項１０】
第１および第２の区画の一方が第１の個別急速冷凍食材を収容する、請求項１記載の電子レンジ加熱支持体。
【請求項１１】
第１および第２の区画の一方が少なくとも二の個別急速冷凍食材を収容する、請求項１記載の電子レンジ加熱支持体。
【請求項１２】
第２の区画が個別急速冷凍食材を収容する、請求項１記載の電子レンジ加熱支持体。
【請求項１３】
第２の区画が少なくとも二の個別急速冷凍食材を収容する、請求項１記載の電子レンジ加熱支持体。
【請求項１４】
上向きに凸起した底面がドーム状の中央部およびより低い外縁部を有し、前記ドーム状の中央部における食品よりも前記外縁部における食品が厚くなる、請求項１記載の電子レンジ加熱支持体。
【請求項１５】
前記ドーム状の中央部が、前記外縁部から約０．１インチ（２．５４ｍｍ）〜約１．０インチ（２５．４ｍｍ）の距離だけ高くなっている、請求項１記載の電子レンジ加熱支持体。
【請求項１６】
第１の一体化区画および第２の一体化区画の側壁の隣接部が下方向に広がる、請求項１記載の電子レンジ加熱支持体。
【請求項１７】
少なくとも三の区画を含む、請求項１記載の電子レンジ加熱支持体。
【請求項１８】
滑らかな周縁形状を有し、実質的に鋭い角のない電子レンジ対応プラスチック素材又は電子レンジ対応紙素材から形成されるトレイを含む電子レンジ用容器であって、そのトレイは、少なくとも
少なくとも一の側壁および上向きに凸起した底面によって規定される第１の一体化区画、
少なくとも一の側壁およびほぼ平面状の底面によって規定される第２の一体化区画、
第１の一体化区画に収容される第１の量の食品、および
第２の一体化区画に収容される第２の量の食品を含み、
第１の一体化区画は、第２の一体化区画から、区画の形状及び間隔が充分熱的に隔離し、各々の区画内で均一な加熱に寄与する距離だけ離れ、
第１および第２の一体化区画の少なくとも一方がマイクロ波エネルギー制限構造を含む電子レンジ用容器。
【請求項１９】
マイクロ波エネルギー制限構造が、ホイル、マイクロ波吸収素材、マイクロ波透過素材、マイクロ波反射素材、およびその組合せからなる群から選択される素材を含む、請求項１８記載の電子レンジ用容器。
【請求項２０】
マイクロ波エネルギー制限構造が少なくとも一の穴を有する、請求項１８記載の電子レンジ用容器。
【請求項２１】
第１の量の食品および第２の量の食品が異なる密度および／または加熱特性を有する、請求項１８記載の電子レンジ用容器。
【請求項２２】
第１の量の食品および第２の量の食品の一方がペレット状である、請求項１８記載の電子レンジ用容器。
【請求項２３】
第１の量の食品および第２の量の食品の一方が個別急速冷凍食材を含む、請求項１８記載の電子レンジ用容器。
【請求項２４】
第１の量の食品および第２の量食品の一方が少なくとも二の個別急速冷凍食材を含む、請求項１８記載の電子レンジ用容器。
【請求項２５】
上向きに凸起した底面がドーム状の中央部およびより低い外縁部を有し、前記ドーム状の中央部における食品よりも前記外縁部における食品が厚くなる、請求項１８記載の電子レンジ用容器。
【請求項２６】
前記ドーム状の中央部が前記外縁部から約０．１インチ（２．５４ｍｍ）〜約１．０インチ（２５．４ｍｍ）の距離だけ高くなっている、請求項２５記載の電子レンジ用容器。
【請求項２７】
第１の一体化区画および第２の一体化区画の側壁の隣接部が下方向に広がる、請求項１８記載の電子レンジ用容器。
【請求項２８】
マイクロ波エネルギー制限構造が取外し可能である、請求項１８記載の電子レンジ用容器。
【請求項２９】
少なくとも第１および第２の区画を被覆し、第１および第２の区画を互いに実質的に隔離するようにトレイを密封する蓋素材をさらに含む、請求項１８記載の電子レンジ用容器。
【請求項３０】
蓋素材がトレイの滑らかな周縁形状に沿って密封され、周縁から容器の中央に向かって拡がる、請求項２９記載の電子レンジ用容器。
【請求項３１】
異なる温度に電子レンジ加熱するための複数の食品を収容する方法であって、
滑らかな周縁形状を有し、実質的に鋭い角がなく、および区画が充分熱的に隔離するよう互いに分離された複数の食品収容区画を有し、第１の食品収容区画は上向きに凸起した底面、及び各々の区画内で均一な加熱に寄与する、区画の形状及び間隔を有する、電子レンジ用プラスチックトレイ又は電子レンジ用紙トレイを用意し、
第１の食品を、所定時間マイクロ波に曝した際に対応する第１の温度に到達させるために、中央部より周縁部において厚くなるようにして、トレイの第１の食品収容区画に配置し、
第２の食品をトレイの第２の食品収容区画に配置し、
所定時間マイクロ波に曝した際に、第２の食品が、第１の温度とは異なる、対応する第２の温度に到達するように、第１および第２の食品収容区画の少なくとも一方をマイクロ波調整構造で少なくとも部分的に被覆し、
第１および第２の食品収容区画の一方を実質的にマイクロ波透過性である構造により被覆する工程を含む、方法。
【請求項３２】
マイクロ波調整構造が、第２の食品収容区画に進入するマイクロ波エネルギーを少なくとも約２５％低減する、請求項３１記載の方法。
【請求項３３】
第１の食品および第２の食品の少なくとも一方をペレット状で用意する工程をさらに含む、請求項３３記載の方法。
【請求項３４】
第１の食品および第２の食品の少なくとも一方を個別急速冷凍食材として用意する工程をさらに含む、請求項３１記載の方法。
【請求項３５】
第１の食品および第２の食品の少なくとも一方を複数の個別急速冷凍食材として用意する工程をさらに含む、請求項３１記載の方法。